(57)【要約】【課題】遊技用記録媒体発行処理や価値加算処理を行う遊技用記録媒体において、複数金種の貨幣額に対応する貨幣額送信線の不正配線や誤配線等の配線異常を検出可能とする。【解決手段】複数金種の貨幣を識別する貨幣識別機１３又は３３と、該複数金種の貨幣額に対応する貨幣額送信線１５ｃ〜１５ｆ又は３５ｃ〜３５ｆを通じて貨幣識別機にて識別された貨幣額を示す信号を送信する貨幣額通信部１４又は３４を備える遊技用記録媒体処理装置において、貨幣額送信線の配線異常の有無を検出する配線異常検出手段（制御部１２又は３２）をさらに備え、該配線異常検出手段は、貨幣額通信部に対して判定実施信号を送信し、該判定実施信号に応じて貨幣額通信部から送信されてくる応答信号の受信に基づいて貨幣額送信線の配線異常判定を実施し、配線異常を検出した場合にその旨を報知するための処理を行う。【選択図】　　　　図５
2004024389.tif 000002
【特許請求の範囲】
【請求項１】
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技に使用可能な遊技用価値の大きさを特定可能な情報が記録された遊技用記録媒体の発行を行う遊技用記録媒体発行手段と、を備える遊技用記録媒体処理装置であって、
前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段をさらに備え、
該配線異常検出手段は、前記配線異常を検出した場合に、その旨を報知するための処理を行うことを特徴とする遊技用記録媒体処理装置。
【請求項２】
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
遊技に使用可能な遊技用価値の大きさを特定可能な情報が記録された遊技用記録媒体を受け付ける遊技用記録媒体受付手段と、
前記貨幣額送信手段から送信された貨幣額を示す信号から特定される貨幣額の範囲内における所定額に相当する遊技用価値の大きさを前記遊技用記録媒体受付手段にて受け付けた遊技用記録媒体の記録情報から特定される遊技用価値の大きさに対して加算するための処理を行う価値加算手段と、を備える遊技用記録媒体処理装置であって、
前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段をさらに備え、
該配線異常検出手段は、前記配線異常を検出した場合に、その旨を報知するための処理を行うことを特徴とする遊技用記録媒体処理装置。
【請求項３】
請求項１又は２に記載した遊技用記録媒体処理装置であって、
前記貨幣額送信手段は、前記配線異常検出手段から送信された判定実施信号に応じて各貨幣額送信線より順に前記応答信号を送信し、
前記配線異常検出手段は、各貨幣額送信線より順に送信される前記応答信号の正規の受信順序を記憶しており、該各貨幣額送信線より順に送信されてくる前記応答信号の受信に基づいて前記貨幣額送信線の配線異常判定を実施して、該応答信号の受信順序と前記正規の受信順序とが異なる場合に前記配線異常と検出することを特徴とする遊技用記録媒体処理装置。
【請求項４】
請求項３に記載した遊技用記録媒体処理装置であって、
前記貨幣額送信手段は、各貨幣額送信線より順に送信する前記応答信号を所定時間間隔で送信し、
前記配線異常検出手段は、各貨幣額送信線より順に送信されてくる前記応答信号の受信に基づいて前記貨幣額送信線の配線異常判定を実施して、同時期に複数の応答信号を受信した場合に前記配線異常と検出することを特徴とする遊技用記録媒体処理装置。
【請求項５】
請求項３に記載した遊技用記録媒体処理装置であって、
前記貨幣額送信手段は、各貨幣額送信線より順に送信する前記応答信号を所定時間間隔で送信し、
前記配線異常検出手段は、各貨幣額送信線より順に送信されてくる前記応答信号の受信に基づいて前記貨幣額送信線の配線異常判定を実施して、該応答信号の受信間隔が許容時間内であるか否かの確認を行い、該応答信号の受信間隔が許容時間内でない場合に前記配線異常と検出することを特徴とする遊技用記録媒体処理装置。
【請求項６】
請求項１〜５のいずれか１つに記載した遊技用記録媒体処理装置であって、
前記配線異常検出手段は、前記遊技用記録媒体処理装置の起動時に前記判定実施信号を送信することを特徴とする遊技用記録媒体処理装置。
【請求項７】
請求項１〜６のいずれか１つに記載した遊技用記録媒体処理装置であって、
前記貨幣額送信手段は、前記貨幣識別手段により貨幣が識別される毎に該貨幣が識別された旨の貨幣識別信号を送信し、
前記配線異常検出手段は、該貨幣額送信手段から送信されてくる貨幣識別信号を受信する毎に前記判定実施信号を送信することを特徴とする遊技用記録媒体処理装置。
【請求項８】
請求項１〜７のいずれか１つに記載した遊技用記録媒体処理装置であって、
前記配線異常検出手段は、前記配線異常を検出した場合に、前記遊技用記録媒体の発行又は前記価値加算するための処理を中断することを特徴とする遊技用記録媒体処理装置。
【発明の詳細な説明】
【０００１】
【発明の属する技術分野】
本発明は、遊技に使用可能な遊技用価値の大きさを特定可能な情報が記録された遊技用記録媒体の発行や、該遊技用記録媒体の記録情報から特定される遊技用価値の大きさに対して価値加算をするための処理を行う遊技用記録媒体処理装置に係り、特に複数金種の貨幣額に対応する貨幣額送信線の配線異常を検出可能な遊技用記録媒体処理装置に関する。
【０００２】
【従来の技術】
従来より、遊技に使用可能な遊技用価値の大きさ（例えばプリペイド度数）を特定可能な情報が記録された遊技用記録媒体（例えばプリペイドカード）の発行を行う遊技用記録媒体処理装置として、例えば遊技場内の所定箇所（例えば遊技島の端部）に設けられるカード発行装置や、遊技機（例えばパチンコ機）に対応して設けられるプリペイドカード発行機能付きカードユニット等が知られている。この遊技用記録媒体処理装置は、複数金種の貨幣（例えば千円紙幣，二千円紙幣，五千円紙幣，及び一万円紙幣）を識別する貨幣識別手段と、該複数金種の貨幣額に対応する貨幣額送信線を通じて貨幣識別手段にて識別された貨幣額を示す信号を送信する貨幣額送信手段を備えており、該貨幣額送信手段から送信された貨幣額の範囲内における所定額に相当する遊技用価値の大きさを特定可能な情報が記録された遊技用記録媒体を発行する遊技用記録媒体発行処理が行われていた。
【０００３】
また最近では、前記遊技用記録媒体の記録情報から特定される遊技用価値の大きさに対して価値加算（いわゆる追加入金）するための処理を行う遊技用記録媒体処理装置として、例えば遊技場内の所定箇所（例えば遊技島の端部）に設けられる追加入金機能付きカード発行装置や、遊技機（例えばパチンコ機）に対応して設けられる追加入金機能付きカードユニット等が知られている。この遊技用記録媒体処理装置も、前記貨幣識別手段，貨幣額送信線，及び貨幣額送信手段を備えており、該貨幣額送信手段から送信された貨幣額の範囲内における所定額に相当する遊技用価値の大きさを前記遊技用記録媒体の記録情報から特定される遊技用価値の大きさに対して加算するための価値加算処理が行われていた。
【０００４】
【発明が解決しようとする課題】
しかしながら、それらの遊技用記録媒体処理装置において貨幣額送信線が組み替えられると、例えば貨幣識別手段にて千円が識別されたにも拘わらず該組み替えられた貨幣額送信線を通じて一万円の貨幣額を示す信号が送信されたりするため、該貨幣額送信線の組み替えを狙った不正が行われる可能性がある。またそれらの遊技用記録媒体処理装置の製造時に貨幣額送信線が誤って配線されている場合もある。
【０００５】
本発明は、このような背景のもとになされたものであり、その目的は、複数金種の貨幣額に対応する貨幣額送信線の不正配線や誤配線等の配線異常を検出可能な遊技用記録媒体処理装置を提供することにある。
【０００６】
【課題を解決するための手段】
本発明は、前記課題を解決するために、次のような手段を採る。
【０００７】
まず請求項１に係る発明は、複数金種の貨幣を識別する貨幣識別手段と、該複数金種の貨幣額に対応する貨幣額送信線を通じて前記貨幣識別手段にて識別された貨幣額を示す信号を送信する貨幣額送信手段と、前記貨幣額送信手段から送信された貨幣額を示す信号から特定される貨幣額の範囲内における所定額に相当する遊技に使用可能な遊技用価値の大きさを特定可能な情報が記録された遊技用記録媒体の発行を行う遊技用記録媒体発行手段と、を備える遊技用記録媒体処理装置であって、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段をさらに備え、該配線異常検出手段は、前記配線異常を検出した場合に、その旨を報知するための処理を行うことを特徴とする遊技用記録媒体処理装置である。
【０００８】
また請求項２に係る発明は、複数金種の貨幣を識別する貨幣識別手段と、該複数金種の貨幣額に対応する貨幣額送信線を通じて前記貨幣識別手段にて識別された貨幣額を示す信号を送信する貨幣額送信手段と、遊技に使用可能な遊技用価値の大きさを特定可能な情報が記録された遊技用記録媒体を受け付ける遊技用記録媒体受付手段と、前記貨幣額送信手段から送信された貨幣額を示す信号から特定される貨幣額の範囲内における所定額に相当する遊技用価値の大きさを前記遊技用記録媒体受付手段にて受け付けた遊技用記録媒体の記録情報から特定される遊技用価値の大きさに対して加算するための処理を行う価値加算手段と、を備える遊技用記録媒体処理装置であって、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段をさらに備え、該配線異常検出手段は、前記配線異常を検出した場合に、その旨を報知するための処理を行うことを特徴とする遊技用記録媒体処理装置である。
【０００９】
また請求項３に係る発明は、請求項１又は２に記載した遊技用記録媒体処理装置であって、前記貨幣額送信手段は、前記配線異常検出手段から送信された判定実施信号に応じて各貨幣額送信線より順に前記応答信号を送信し、前記配線異常検出手段は、各貨幣額送信線より順に送信される前記応答信号の正規の受信順序を記憶しており、該各貨幣額送信線より順に送信されてくる前記応答信号の受信に基づいて前記貨幣額送信線の配線異常判定を実施して、該応答信号の受信順序と前記正規の受信順序とが異なる場合に前記配線異常と検出することを特徴とする遊技用記録媒体処理装置である。
【００１０】
また請求項４に係る発明は、請求項３に記載した遊技用記録媒体処理装置であって、前記貨幣額送信手段は、各貨幣額送信線より順に送信する前記応答信号を所定時間間隔で送信し、前記配線異常検出手段は、各貨幣額送信線より順に送信されてくる前記応答信号の受信に基づいて前記貨幣額送信線の配線異常判定を実施して、同時期に複数の応答信号を受信した場合に前記配線異常と検出することを特徴とする遊技用記録媒体処理装置である。
【００１１】
また請求項５に係る発明は、請求項３に記載した遊技用記録媒体処理装置であって、前記貨幣額送信手段は、各貨幣額送信線より順に送信する前記応答信号を所定時間間隔で送信し、前記配線異常検出手段は、各貨幣額送信線より順に送信されてくる前記応答信号の受信に基づいて前記貨幣額送信線の配線異常判定を実施して、該応答信号の受信間隔が許容時間内であるか否かの確認を行い、該応答信号の受信間隔が許容時間内でない場合に前記配線異常と検出することを特徴とする遊技用記録媒体処理装置である。
【００１２】
また請求項６に係る発明は、請求項１〜５のいずれか１つに記載した遊技用記録媒体処理装置であって、前記配線異常検出手段は、前記遊技用記録媒体処理装置の起動時に前記判定実施信号を送信することを特徴とする遊技用記録媒体処理装置である。
【００１３】
また請求項７に係る発明は、請求項１〜６のいずれか１つに記載した遊技用記録媒体処理装置であって、前記貨幣額送信手段は、前記貨幣識別手段により貨幣が識別される毎に該貨幣が識別された旨の貨幣識別信号を送信し、前記配線異常検出手段は、該貨幣額送信手段から送信されてくる貨幣識別信号を受信する毎に前記判定実施信号を送信することを特徴とする遊技用記録媒体処理装置である。
【００１４】
さらに請求項８に係る発明は、請求項１〜７のいずれか１つに記載した遊技用記録媒体処理装置であって、前記配線異常検出手段は、前記配線異常を検出した場合に、前記遊技用記録媒体の発行又は前記価値加算するための処理を中断することを特徴とする遊技用記録媒体処理装置である。
【００１５】
【発明の実施の形態】
以下、本発明の実施の形態を、図面を参照して説明する。本発明に係る遊技用記録媒体処理装置は、遊技に使用可能な遊技用価値の大きさを特定可能な情報が記録された遊技用記録媒体を発行する遊技用記録媒体発行処理を行うカード発行装置１０や、該遊技用記録媒体の記録情報から特定される遊技用価値の大きさに対して加算するための価値加算処理を行うカードユニット３０において、複数金種の貨幣額に対応する貨幣額送信線の配線異常を検出可能なものである。
【００１６】
以下においては、前記遊技を行う遊技機がパチンコ機４０であり、該遊技に使用可能な遊技用価値の大きさがプリペイド度数であり、該遊技用価値の大きさを特定可能な情報が記録された遊技用記録媒体がプリペイドカード２であり、複数金種の貨幣３が千円紙幣，二千円紙幣，五千円紙幣，及び一万円紙幣の４種類の紙幣である例について説明する。また、以下においては、リーダ／ライタを「Ｒ／Ｗ」，データベースを「ＤＢ」と略記する。
【００１７】
ここで遊技用記録媒体処理装置には、該遊技用記録媒体処理装置の起動時に前記配線異常の検出を行う第１実施形態と、貨幣３の識別毎に前記配線異常の検出を行う第２実施形態が含まれる。以下においては、まず図１〜図３を参照して、第１実施形態及び第２実施形態に係る遊技用記録媒体処理装置を含む遊技用システム１の各構成要素について説明し、次に図４〜図５を参照して、第１実施形態に係る遊技用記録媒体処理装置における配線異常の検出について説明し、次に図６〜図７を参照して、第２実施形態に係る遊技用記録媒体処理装置における配線異常の検出について説明し、最後に図８〜図９を参照して、別形態に係る配線異常の検出について説明する。
【００１８】
まず図１は本発明に係る遊技用記録媒体処理装置であるカード発行装置１０及びカードユニット３０を含む遊技用システム１の一例を表す機能ブロック図である。遊技用システム１は、遊技場内の所定箇所（例えば遊技島の端部等）に設けられるカード発行装置１０と、遊技場内の所定箇所（例えば遊技島）においてパチンコ機４０に対応して（例えばパチンコ機４０の左側に隣接して）設けられるカードユニット３０と、遊技場内の所定箇所（例えば管理事務所等）に設けられるターミナルボックス５０と、遊技場外（例えばカード発行会社が運営する遊技場外の第三者機関等）に設けられる遊技場外管理装置６０からなり、プリペイドカード２を使用した遊技が可能なものである。
【００１９】
プリペイドカード２は遊技用記録媒体の一例であって、プリペイド度数を特定可能な情報が記録されたものである。このプリペイド度数は、遊技に使用可能な遊技用価値の大きさの一例であって、ここではプリペイドカード２の発行及びプリペイドカード２に対する価値加算に供された貨幣額が所定の比率（例えば百円で１度数）で度数に変換されたものである。そしてプリペイドカード２は、例えば長方形状を呈するプラスチック製の薄板における所定の部位に、プリペイド度数を特定可能な情報として、プリペイドカード２に付与される固有の番号であるカードＩＤ，及び後述する発行度数から玉貸度数を減算した残余のプリペイド度数（以下「残度数」という。）が記録された記録領域が形成されてなるものであり、ここでは該記録領域として不揮発性のＥＥＰＲＯＭを備える非接触式の集積回路を搭載したＩＣカードである。このプリペイドカード２は、後述する遊技用記録媒体発行処理が行われた場合に、次に述べるカード発行装置１０から発行される。
【００２０】
次に図２はカード発行装置１０の一例を表す斜視図である。カード発行装置１０は、遊技用記録媒体発行処理を行う遊技用記録媒体処理装置の一例である。このカード発行装置１０は、縦長の箱型の形状を呈するものであり、その前面に貨幣挿入口１３ａ，貨幣インジケータ１３ｂ，貨幣額表示部１６，発行ボタン１７，釣銭払出口１８ａ，釣銭インジケータ１８ｂ，貨幣返却ボタン１９，カード発行口２０ａ，及びカードインジケータ２０ｂを備え、その上面にパトランプ２１を備え、その内部に通信部１１（図１を参照），制御部１２，貨幣識別機１３，貨幣回収ボックス１３ｃ，貨幣額通信部１４，信号配線１５，釣銭返却機１８，カードＲ／Ｗ２０，及びカード収納ボックス２０ｃを備えており、これらの各機器は図１に示すように接続されている。
【００２１】
通信部１１は、ターミナルボックス５０の通信部５１ａと通信可能に接続され、カード発行装置１０とターミナルボックス５０との間における通信を司るものである。これにより、カード発行装置１０からターミナルボックス５０に対してカードＩＤの生成を要求するカードＩＤ生成要求と発行額が送信され、逆にターミナルボックス５０からカード発行装置１０に対して生成されたカードＩＤが送信される。
【００２２】
制御部１２は、ＣＰＵ，ＲＡＭ，ＲＯＭ等を有し、ＲＯＭに記憶されている処理プログラムがＲＡＭを作業領域としてＣＰＵで実行されることにより、カード発行装置１０に設けられる各機器の動作を制御して、前記遊技用記録媒体発行処理を行うものである。この制御部１２のＲＡＭには、貨幣識別機１３にて識別された貨幣額が一時的に記憶される。また制御部１２は、貨幣識別機１３に対して、該貨幣識別機１３にて受け付けられている貨幣３の取込を指示する取込信号や、該貨幣識別機１３にて受け付けられている貨幣３の排出を指示するペイアウト信号を送信するものである。さらに制御部１２は、前記配線異常の検出を行う配線異常検出手段として機能するものでもある。なお制御部１２が配線異常検出手段として機能する場合の詳細については、図４〜図９を参照して後述する。
【００２３】
貨幣識別機１３は貨幣識別手段の一例であって、複数金種の貨幣３（図３を参照）を識別するものである。貨幣挿入口１３ａは、貨幣識別機１３の前方に設けられ、貨幣識別機１３にて識別する貨幣３の挿入を受け付けると共に、貨幣識別機１３にて貨幣３が識別されない場合や、貨幣返却ボタン１９が操作された場合に、該受け付けた貨幣３を返却するための開口である。貨幣インジケータ１３ｂは、貨幣挿入口１３ａの上方に設けられ、貨幣識別機１３の動作の状況を表すためのランプであり、例えば貨幣３を受付可能な場合に点灯し、貨幣３を受け付けている場合に消灯し、貨幣３が貨幣挿入口１３ａから返却される場合に点滅して注意を促すものである。貨幣回収ボックス１３ｃは、貨幣識別機１３の後方に設けられ、貨幣識別機１３にて識別された貨幣３を取り込んで回収するためのものである。
【００２４】
貨幣額通信部１４は貨幣額送信手段の一例であって、前記複数金種の貨幣額に対応する後述する貨幣額送信線を通じて貨幣識別機１３にて識別された貨幣額を示す信号を送信するものである。ここで第１実施形態に係る貨幣額通信部１４には、図４（ａ）に示すように、前記取込信号が入力される取込信号入力部１４ａ，前記ペイアウト信号が入力されるペイアウト信号入力部１４ｂ，貨幣識別機１３にて千円紙幣が識別された場合に前記貨幣額を示す信号として千円信号が出力される千円信号出力部１４ｃ，貨幣識別機１３にて二千円紙幣が識別された場合に前記貨幣額を示す信号として二千円信号が出力される二千円信号出力部１４ｄ，貨幣識別機１３にて五千円紙幣が識別された場合に前記貨幣額を示す信号として五千円信号が出力される五千円信号出力部１４ｅ，及び貨幣識別機１３にて一万円紙幣が識別された場合に前記貨幣額を示す信号として一万円信号が出力される一万円信号出力部１４ｆが含まれる。また第２実施形態に係る貨幣額通信部１４には、図６（ａ）に示すように、それら１４ａ〜１４ｆに加えて、貨幣識別機１３にて貨幣３が識別される毎に該貨幣３が識別された旨の貨幣識別信号が出力される貨幣識別信号出力部１４ｇが含まれる。
【００２５】
信号配線１５は、制御部１２と貨幣額通信部１４との間における信号の送受信を行うための配線である。ここで第１実施形態に係る信号配線１５には、図４（ａ）に示すように、制御部１２から貨幣額通信部１４に対して送信される前記取込信号を受信するための取込信号受信線１５ａ，及び前記ペイアウト信号を受信するためのペイアウト信号受信線１５ｂと、貨幣額通信部１４から制御部１２に対して前記千円信号を送信するための千円信号送信線１５ｃ，前記二千円信号を送信するための二千円信号送信線１５ｄ，前記五千円信号を送信するための五千円信号送信線１５ｅ，及び前記一万円信号を送信するための一万円信号送信線１５ｆが含まれる。これら千円信号送信線１５ｃ，二千円信号送信線１５ｄ，五千円信号送信線１５ｅ，及び一万円信号送信線１５ｆが、複数金種の貨幣額に対応する貨幣額送信線である。また第２実施形態に係る信号配線１５には、図６（ａ）に示すように、それら１５ａ〜１５ｆに加えて、貨幣額通信部１４から制御部１２に対して前記貨幣識別信号を送信するための貨幣識別信号送信線１５ｇが含まれる。
【００２６】
貨幣額表示部１６は、貨幣識別機１３にて識別された貨幣額（以下「識別額」という。）を表示するものである。発行ボタン１７は、プリペイドカード２の発行に供される金額（以下「発行額」という。）及びプリペイドカード２の発行操作を受け付けるためのボタンである。この発行ボタン１７は、複数金種の発行額（ここでは１０００円，２０００円，３０００円，５０００円，１００００円）に対応して設けられており、識別額の範囲内で発行可能な金種の発行ボタン１７が有効化（例えば点灯）され、該有効化された発行ボタン１７が押下されて発行額が選択されると共に発行操作が受け付けられることにより、該発行額に対応するプリペイド度数を特定可能な情報が記録されたプリペイドカード２が発行されるように構成されている。
【００２７】
釣銭返却機１８は、識別額＞発行額である場合に、識別額と発行額の差額を釣銭として返却するものである。釣銭払出口１８ａは、釣銭返却機１８の前方に設けられ、該釣銭返却機１８から返却された釣銭を払い出すための開口である。釣銭インジケータ１８ｂは、釣銭払出口１８ａの上方に設けられ、釣銭返却機１８の動作の状況を表すためのランプであり、例えば釣銭が釣銭払出口１８ａから払い出される場合に点滅して注意を促すものである。貨幣返却ボタン１９は、貨幣識別機１３にて受け付けられている（留保されている）貨幣３の返却操作を受け付けるためのボタンである。
【００２８】
カードＲ／Ｗ２０は遊技用記録媒体発行手段の一例であって、貨幣額通信部１４から送信された貨幣額（即ち識別額）を示す信号から特定される貨幣額の範囲内における所定額（即ち発行額）に相当するプリペイド度数を特定可能な情報（ここではカードＩＤ，及び発行額に相当するプリペイド度数）が記録されたプリペイドカード２を発行するものである。このカードＲ／Ｗ２０は、前記ＩＣカードであるプリペイドカード２のＥＥＰＲＯＭに対してカードＩＤ及びプリペイド度数を記録するＩＣリーダ／ライタを備えるものである。カード発行口２０ａは、カードＲ／Ｗ２０の前方に設けられ、該カードＲ／Ｗ２０にてカードＩＤ及びプリペイド度数が記録されたプリペイドカード２を発行するための開口である。カードインジケータ２０ｂは、カード発行口２０ａの上方に設けられ、カードＲ／Ｗ２０の動作の状況を表すためのランプであり、例えばプリペイドカード２がカード発行口２０ａから発行される場合に点滅して注意を促すものである。カード収納ボックス２０ｃは、カードＩＤ及びプリペイド度数が記録される前の生のプリペイドカード２を収納しておくためのものである。
【００２９】
パトランプ２１は配線異常報知手段の一例であって、配線異常検出手段として機能する制御部１２にて配線異常が検出された場合に、該制御部１２の制御により点灯して、その旨を報知するものである。
【００３０】
以上に説明したカード発行装置１０では、起動時（第１実施形態）又は貨幣３の識別毎（第２実施形態）に、後述する配線異常の検出が行われる。ここで配線異常が検出された場合には、パトランプ２１や、後述するターミナルボックス５０のディスプレイ５４及びスピーカ５５や、後述する遊技場外管理装置６０のディスプレイ６４及びスピーカ６５により、その旨が報知される。一方、配線異常が検出されない場合には、以下に示す遊技用記録媒体発行処理が行われる。
【００３１】
即ち、まず貨幣挿入口１３ａから貨幣３が挿入されると、貨幣識別機１３にて受け付けられた貨幣３の貨幣額が識別される。ここで該貨幣額が識別された場合には、該識別された貨幣額（即ち識別額）を示す信号（千円信号，二千円信号，五千円信号，又は一万円信号）が対応する貨幣額送信線（千円信号送信線１５ｃ，二千円信号送信線１５ｄ，五千円信号送信線１５ｅ，又は一万円信号送信線１５ｆ）を通じて貨幣額通信部１４から制御部１２に対して送信され、該識別額が制御部１２のＲＡＭに記憶されると共に貨幣額表示部１６に表示され、該識別額の範囲内で発行可能な金種の発行ボタン１７が有効化（例えば点灯）される。そして取込信号が取込信号受信線１５ａを通じて制御部１２から貨幣額通信部１４に対して送信され、該送信された取込信号に基づいて貨幣識別機１３にて受け付けられている（留保されている）貨幣３が貨幣回収ボックス１３ｃに取り込まれて回収される。
【００３２】
次に有効化された発行ボタン１７のいずれかが押下されて発行額が選択されると共に発行操作が受け付けられると、カードＩＤ生成要求と該選択された発行額がターミナルボックス５０に対して送信され、ターミナルボックス５０から生成されたカードＩＤが受信されると、カードＲ／Ｗ２０により該受信されたカードＩＤ及び前記選択された発行額に相当するプリペイド度数がカード収納ボックス２０ｃから取り出されたプリペイドカード２に対して記録され、該プリペイドカード２がカード発行口２０ａから発行される。ここで釣銭がある場合には、釣銭返却機１８から返却された釣銭が釣銭払出口１８ａから払い出される。
【００３３】
なお遊技用記録媒体発行処理が正常に終了しない場合，又は貨幣返却ボタン１９が押下されて返却操作が受け付けられた場合には、ペイアウト信号がペイアウト信号受信線１５ｂを通じて制御部１２から貨幣額通信部１４に対して送信され、該送信されたペイアウト信号に基づいて貨幣識別機１３にて受け付けられている（留保されている）貨幣３が貨幣挿入口１３ａから排出される。
【００３４】
次に図３（ａ）はカードユニット３０及びパチンコ機４０の一例を表す正面図であり、図３（ｂ）は該カードユニット３０の側面図である。カードユニット３０は、価値加算処理を行う遊技用記録媒体処理装置の一例である。またカードユニット３０は、プリペイドカード２を受け付けて、該受け付けたプリペイドカード２の記録情報（即ちカードＩＤ及びプリペイド度数）を読み取ると共に、該読み取られた記録情報から特定されるプリペイド度数の範囲内の所定のプリペイド度数を遊技に使用させるための使用処理を行うものであり、ここでは該使用処理としてパチンコ玉の貸出（即ち玉貸処理）を行うものである。
【００３５】
このカードユニット３０は、縦長の箱型の形状を呈するものであり、その前面に動作ランプ３９，貨幣インジケータ３３ｂ，貨幣挿入口３３ａ，玉貸度数表示器３７，玉貸度数設定ボタン３８，カードインジケータ３６ｂ，及びカード挿入排出口３６ａを備え、その内部に通信部３１，制御部３２，ＣＲ通信部３２ａ，貨幣識別機３３，貨幣額通信部３４，信号配線３５，及びカードＲ／Ｗ３６を備えており、これらの各機器は図１に示すように接続されている。またカードユニット３０においては、該カードユニット３０を特定可能な情報であるユニットＩＤが、図示しないアドレス設定スイッチによって設定される。
【００３６】
通信部３１は、ターミナルボックス５０の通信部５１ａと通信可能に接続され、カードユニット３０とターミナルボックス５０との間における通信を司るものである。これにより、カードＲ／Ｗ３６にてプリペイドカード２が受け付けられた場合に、カードユニット３０からターミナルボックス５０に対して照合要求（ユニットＩＤ，カードＩＤ）が送信され、逆にターミナルボックス５０からカードユニット３０に対して照合結果が返信される。
【００３７】
また前記使用処理が行われた場合に、カードユニット３０からターミナルボックス５０に対して玉貸情報（ユニットＩＤ，カードＩＤ，後述する玉貸度数）が送信され、逆にターミナルボックス５０からカードユニット３０に対してデータ更新の完了通知が返信される。さらに前記価値加算処理が行われた場合に、カードユニット３０からターミナルボックス５０に対して入金情報（ユニットＩＤ，カードＩＤ，後述する入金度数）が送信され、逆にターミナルボックス５０からカードユニット３０に対してデータ更新の完了通知が返信される。
【００３８】
制御部３２は、ＣＰＵ，ＲＡＭ，ＲＯＭ等を有し、ＲＯＭに記憶されている処理プログラムがＲＡＭを作業領域としてＣＰＵで実行されることにより、カードユニット３０に設けられる各機器の動作を制御して、前記使用処理及び前記価値加算処理を行うものである。この制御部３２のＲＡＭには、カードＲ／Ｗ３６にて受け付けたプリペイドカードの記録情報から特定されるプリペイド度数が一時的に記憶される。また制御部３２は、貨幣識別機３３に対して、該貨幣識別機３３にて受け付けられている貨幣３の取込を指示する取込信号や、該貨幣識別機３３にて受け付けられている貨幣３の排出を指示するペイアウト信号を送信するものである。さらに制御部３２は、前記配線異常の検出を行う配線異常検出手段として機能するものでもある。なお制御部３２が配線異常検出手段として機能する場合の詳細については、図４〜図９を参照して後述する。
【００３９】
また制御部３２は価値加算手段の一例であって、貨幣額通信部３４から送信された貨幣額を示す信号から特定される貨幣額に相当するプリペイド度数（以下「入金度数」という。）をプリペイドカード２の記録情報から特定されるプリペイド度数に対して加算するための価値加算処理を行うものであり、具体的には、通信部３１から前記入金情報をターミナルボックス５０に対して送信すると共に、カードＲ／Ｗ３６により前記入金度数が加算されたプリペイド度数をプリペイドカード２に対して記録する処理を行う。
【００４０】
ＣＲ通信部３２ａは、制御部３２に設けられており、パチンコ機４０に設けられた後述する玉払出制御基板４２，度数表示器４４，玉貸ボタン４５，及びカード返却ボタン４６と接続されている。これにより、前記使用処理が行われる場合に、パチンコ機４０との間でパチンコ玉の貸出に関する信号のやり取りが行われてパチンコ玉が貸し出される。
【００４１】
貨幣識別機３３は貨幣識別手段の一例であって、複数金種の貨幣３を識別するものである。貨幣挿入口３３ａは、貨幣識別機３３の前方に設けられ、貨幣識別機３３にて識別する貨幣３の挿入を受け付けると共に、貨幣識別機３３にて貨幣３が識別されない場合に、該受け付けた貨幣３を返却するための開口である。貨幣インジケータ３３ｂは、貨幣挿入口３３ａの上方に設けられ、貨幣識別機３３の動作の状況を表すためのランプであり、例えば貨幣３を受付可能な場合に点灯し、貨幣３を受け付けている場合に消灯し、貨幣３が貨幣挿入口３３ａから返却される場合に点滅して注意を促すものである。
【００４２】
なお貨幣識別機３３の後面側には、識別された貨幣３を排出する貨幣排出口（図示外）が設けられており、またカードユニット３０の背後における遊技島の内部には、貨幣識別機３３の貨幣排出口から排出された貨幣３を搬送して回収するための貨幣搬送装置（図示外）が設けられており、さらに該貨幣搬送装置の終端には、貨幣収納部（図示外）が設けられている。これにより、カードユニット３０に挿入された貨幣３が遊技島毎に回収される。
【００４３】
貨幣額通信部３４は貨幣額送信手段の一例であって、前記複数金種の貨幣額に対応する後述する貨幣額送信線を通じて貨幣識別機３３にて識別された貨幣額（以下「識別額」という。）を示す信号を送信するものである。ここで第１実施形態に係る貨幣額通信部３４には、図４（ａ）に示すように、前記取込信号が入力される取込信号入力部３４ａ，前記ペイアウト信号が入力されるペイアウト信号入力部３４ｂ，貨幣識別機３３にて千円紙幣が識別された場合に前記貨幣額を示す信号として千円信号が出力される千円信号出力部３４ｃ，貨幣識別機３３にて二千円紙幣が識別された場合に前記貨幣額を示す信号として二千円信号が出力される二千円信号出力部３４ｄ，貨幣識別機３３にて五千円紙幣が識別された場合に前記貨幣額を示す信号として五千円信号が出力される五千円信号出力部３４ｅ，及び貨幣識別機３３にて一万円紙幣が識別された場合に前記貨幣額を示す信号として一万円信号が出力される一万円信号出力部３４ｆが含まれる。また第２実施形態に係る貨幣額通信部３４には、図６（ａ）に示すように、それら３４ａ〜３４ｆに加えて、貨幣識別機３３にて貨幣３が識別される毎に該貨幣３が識別された旨の貨幣識別信号が出力される貨幣識別信号出力部３４ｇが含まれる。
【００４４】
信号配線３５は、制御部３２と貨幣額通信部３４との間における信号の送受信を行うための配線である。ここで第１実施形態に係る信号配線３５には、図４（ａ）に示すように、制御部３２から貨幣額通信部３４に対して送信される前記取込信号を受信するための取込信号受信線３５ａ，及び前記ペイアウト信号を受信するためのペイアウト信号受信線３５ｂと、貨幣額通信部３４から制御部３２に対して前記千円信号を送信するための千円信号送信線３５ｃ，前記二千円信号を送信するための二千円信号送信線３５ｄ，前記五千円信号を送信するための五千円信号送信線３５ｅ，及び前記一万円信号を送信するための一万円信号送信線３５ｆが含まれる。これら千円信号送信線３５ｃ，二千円信号送信線３５ｄ，五千円信号送信線３５ｅ，及び一万円信号送信線３５ｆが、複数金種の貨幣額に対応する貨幣額送信線である。また第２実施形態に係る信号配線３５には、図６（ａ）に示すように、それら３５ａ〜３５ｆに加えて、貨幣額通信部３４から制御部３２に対して前記貨幣識別信号を送信するための貨幣識別信号送信線３５ｇが含まれる。
【００４５】
カードＲ／Ｗ３６は遊技用記録媒体受付手段の一例であって、プリペイドカード２を受け付け、該プリペイドカード２の記録情報（ここではカードＩＤ及びプリペイド度数）を読み取ると共に、該プリペイドカード２に対してプリペイド度数を記録するＩＣリーダ／ライタを備えるものである。カード挿入排出口３６ａは、カードＲ／Ｗ３６の前方に設けられ、該カードＲ／Ｗ３６にて記録情報が読み取られるプリペイドカード２が挿入されると共に、該カードＲ／Ｗ３６にてプリペイド度数が記録されたプリペイドカード２を排出するための開口である。カードインジケータ３６ｂは、カード挿入排出口３６ａの上方に設けられ、カードＲ／Ｗ３６の動作の状況を表すためのランプであり、例えばプリペイドカード２を受付可能な場合に点灯し、プリペイドカード２を受け付けている場合に消灯し、プリペイドカード２がカード挿入排出口３６ａから排出される場合に点滅して注意を促すものである。
【００４６】
玉貸度数表示器３７は、後述する玉貸ボタン４５の一回の操作に応じて使用されるプリペイド度数を玉貸度数として表示するためのものであり、玉貸度数設定ボタン３８は、該玉貸度数を設定するためのボタンである。この玉貸度数は、玉貸度数設定ボタン３８を操作することにより、例えば１度数〜５度数まで１度数刻みで５段階に設定可能であり、設定された玉貸度数が玉貸度数表示器３７に表示される。
【００４７】
動作ランプ３９は、カードユニット３０の動作の状況を表すためのランプであり、例えば使用処理や価値加算処理が可能な場合に点灯し、使用処理や価値加算処理が不可能な場合に消灯し、カードユニット３０において何らかのトラブルが生じた場合に点滅して注意を促すものである。また動作ランプ３９は配線異常報知手段の一例であって、配線異常検出手段として機能する制御部３２にて配線異常が検出された場合に、該制御部３２の制御により点灯して、その旨を報知するものである。
【００４８】
パチンコ機４０は遊技機の一例であって、遊技場における遊技島（図示外）に複数並列して設置され、内部から供給されたパチンコ玉を用いて遊技を行う、いわゆるＣＲ式のパチンコ機である。このパチンコ機４０は、図３（ａ）に示すように、その前面に、遊技領域，上皿，下皿，及び発射ハンドル等を有すると共に、度数表示器４４，玉貸ボタン４５，及びカード返却ボタン４６を有する。この度数表示器４４は、カードＲ／Ｗ３６にて読み取られたプリペイドカード２の記録情報から特定されるプリペイド度数を表示するためのものであり、玉貸ボタン４５は、パチンコ玉の貸出操作を受け付けるためのボタンであり、カード返却ボタン４６は、カードＲ／Ｗ３６にて受け付けられているプリペイドカード２の返却操作を受け付けるためのボタンである。
【００４９】
またパチンコ機４０は、図１に示すように、その内部に、遊技を制御する遊技制御基板４１，遊技機からパチンコ玉を払い出す遊技媒体払出装置である玉払出装置４３，及び該玉払出装置を制御する玉払出制御基板４２を有すると共に、図示しないが、第１種遊技機における特別図柄の可変表示を行う可変表示装置や第２種遊技機の役物装置等の遊技装置を制御する演出制御基板，遊技状況に応じて音声を出力するスピーカを制御する音声制御基板，装飾ランプ制御基板，電源制御基板，発射制御基板等を有する。
【００５０】
なおパチンコ機４０の内部にある玉払出装置４３から上皿に供給されたパチンコ玉が、発射ハンドルの操作により遊技領域の内部に打ち込まれて遊技が行われる。そして打ち込まれたパチンコ玉が、遊技領域に形成された入賞口に入賞すると、玉払出制御基板４２から発せられる払出信号に基づいて、玉払出装置４３から賞球が払い出されて上皿又は下皿に供給される。
【００５１】
以上に説明したカードユニット３０では、以下に示す使用処理が行われる。即ち、まずカード挿入排出口３６ａからプリペイドカード２が挿入されると、カードＲ／Ｗ３６にて受け付けられたプリペイドカード２の記録情報（カードＩＤ及びプリペイド度数）が読み取られ、カードユニット３０からターミナルボックス５０に対して照合要求（ユニットＩＤ，カードＩＤ）が送信され、逆にターミナルボックス５０からカードユニット３０に対して照合結果が返信され、照合ＯＫである場合に、前記読み取られたプリペイド度数が制御部３２のＲＡＭに記憶されると共に度数表示器４４に表示される。
【００５２】
次に玉貸ボタン４５が操作されて貸出操作が受け付けられると、カードユニット３０とパチンコ機４０との間でパチンコ玉の貸出に関する信号のやり取りが行われ、玉貸度数設定ボタン３８の操作により予め設定された玉貸度数が使用されて該玉貸度数に相当する数のパチンコ玉が玉払出装置４３から払い出される。そして該使用された玉貸度数が制御部３２のＲＡＭに記憶されているプリペイド度数から減算更新され、該減算更新後のプリペイド度数がカードＲ／Ｗ３６によりプリペイドカード２に対して記録されると共に度数表示器４４に表示される。さらにカードユニット３０からターミナルボックス５０に対して玉貸情報（ユニットＩＤ，カードＩＤ，玉貸度数）が送信され、逆にターミナルボックス５０からカードユニット３０に対してデータ更新の完了通知が返信される。なお制御部３２のＲＡＭに記憶されているプリペイド度数が零となった場合，又はカード返却ボタン４６が押下されて返却操作が受け付けられた場合には、カードＲ／Ｗ３６にて受け付けられているプリペイドカード２がカード挿入排出口３６ａから排出される。
【００５３】
またカードユニット３０では、起動時（第１実施形態）又は貨幣３の識別毎（第２実施形態）に、後述する配線異常の検出が行われる。ここで配線異常が検出された場合には、動作ランプ３９や、後述するターミナルボックス５０のディスプレイ５４及びスピーカ５５や、後述する遊技場外管理装置６０のディスプレイ６４及びスピーカ６５により、その旨が報知される。一方、配線異常が検出されない場合には、以下に示す価値加算処理が行われる。
【００５４】
即ち、まず貨幣挿入口３３ａから貨幣３が挿入されると、貨幣識別機３３にて受け付けられた貨幣３の貨幣額が識別される。ここで該貨幣額が識別された場合には、該識別された貨幣額（即ち識別額）を示す信号（千円信号，二千円信号，五千円信号，又は一万円信号）が対応する貨幣額送信線（千円信号送信線３５ｃ，二千円信号送信線３５ｄ，五千円信号送信線３５ｅ，又は一万円信号送信線３５ｆ）を通じて貨幣額通信部３４から制御部３２に対して送信され、該識別額に相当するプリペイド度数（即ち入金度数）が制御部３２のＲＡＭに記憶されているプリペイド度数に加算更新され、該加算更新後のプリペイド度数がカードＲ／Ｗ３６によりプリペイドカード２に対して記録されると共に度数表示器４４に表示される。そして取込信号が取込信号受信線３５ａを通じて制御部３２から貨幣額通信部３４に対して送信され、該送信された取込信号に基づいて貨幣識別機３３にて受け付けられている（留保されている）貨幣３が貨幣搬送装置（図示外）に搬送されて回収される。さらにカードユニット３０からターミナルボックス５０に対して入金情報（ユニットＩＤ，カードＩＤ，入金度数）が送信され、逆にターミナルボックス５０からカードユニット３０に対してデータ更新の完了通知が返信される。
【００５５】
なお価値加算処理が正常に終了しない場合には、ペイアウト信号がペイアウト信号受信線３５ｂを通じて制御部３２から貨幣額通信部３４に対して送信され、該送信されたペイアウト信号に基づいて貨幣識別機３３にて受け付けられている（留保されている）貨幣３が貨幣挿入口３３ａから排出される。
【００５６】
ターミナルボックス５０は管理装置の一例であって、図１に示すように接続される通信部５１ａ，通信部５１ｂ，制御部５２，ハードディスク５３，ディスプレイ５４，及びスピーカ５５等を備えており、遊技場内の所定の箇所（例えば管理事務所等）に設置されるものである。ここでハードディスク５３には、残度数，発行度数，玉貸度数，及び入金度数等の度数データをカードＩＤ毎に管理するためのカードＤＢ（図示外）が記憶されている。このターミナルボックス５０は、後述する遊技場外管理装置６０を備える第三者機関が一括して製造するものであり、遊技場側が内部にまでアクセスできないようにブラックボックス化されている。
【００５７】
通信部５１ａは、前述の如くカード発行装置１０の通信部１１及びカードユニット３０の通信部３１とデータ通信可能に接続され、ターミナルボックス５０とカード発行装置１０及びカードユニット３０との間における通信を司るものである。通信部５１ｂは、後述する遊技場外管理装置６０の通信部６１とデータ通信可能に接続され、ターミナルボックス５０と遊技場外管理装置６０との間における通信を司るものである。
【００５８】
制御部５２は、ＣＰＵ，ＲＡＭ，ＲＯＭ等を備えるコンピュータであり、ハードディスク５３に記憶されている処理プログラムがＲＡＭを作業領域としてＣＰＵで実行されることにより、カードＩＤ生成処理及び度数データ管理処理を行うものである。具体的には、カード発行装置１０からカードＩＤ生成要求と発行額を受信した場合に、カードＩＤを生成し、該生成されたカードＩＤと対応付けて前記発行額に相当する発行度数をハードディスク５３のカードＤＢに登録することにより、カードＩＤ生成処理が行われる。またカードユニット３０から玉貸情報や入金情報を受信した場合に、該玉貸情報に含まれている玉貸度数をハードディスク５３のカードＤＢに記憶されている残度数から減算更新し、該入金情報に含まれている入金度数をハードディスク５３のカードＤＢに記憶されている残度数に対して加算更新することにより、度数データ管理処理が行われる。
【００５９】
ディスプレイ５４及びスピーカ５５は異常報知手段の一例であって、配線異常検出手段として機能する制御部１２又は３２にて配線異常が検出された場合に、カード発行装置１０又はカードユニット３０からターミナルボックス５０に対して該配線異常の検出を示す配線異常検出信号が送信され、該配線異常検出信号を受信したターミナルボックス５０において、その旨がディスプレイ５４に表示されると共に警報音がスピーカ５５から発せられて、その旨が報知される。
【００６０】
遊技場外管理装置６０も管理装置の一例であって、図１に示すように接続される通信部６１，制御部６２，ハードディスク６３，ディスプレイ６４，及びスピーカ６５等を備えており、カード発行会社が運営する遊技場外の第三者機関に設置されるものであり、遊技用システム１を導入する複数の遊技場に対して適宜の数だけ（例えば全国で一箇所，地域毎に数箇所等）設けられる。ここでハードディスク６３には、残度数，発行度数，玉貸度数，及び入金度数等の度数データをカードＩＤ毎に管理するためのカードＤＢ（図示外）が記憶されている。
【００６１】
通信部６１は、前述の如くターミナルボックス５０の通信部５１ｂとデータ通信可能に接続され、遊技場外管理装置６０とターミナルボックス５０との間における通信を司るものである。これにより、ターミナルボックス５０から遊技場外管理装置６０に対して適宜のタイミングで度数データが送信されて遊技場外管理装置６０にて管理されている度数データに反映され、ターミナルボックス５０と遊技場外管理装置６０において度数データの同一化が図られる。なお適宜のタイミングとは、リアルタイム，一定時間毎，又は一日毎等の任意のタイミングである。
【００６２】
制御部６２は、ＣＰＵ，ＲＡＭ，ＲＯＭ等を備えるコンピュータであり、ハードディスク６３に記憶されている処理プログラムがＲＡＭを作業領域としてＣＰＵで実行されることにより、度数データ管理処理を行うものである。具体的には、ターミナルボックス５０から度数データを受信した場合に、該受信した度数データに基づいてハードディスク６３のカードＤＢに記憶されている度数データを更新することにより、度数データ管理処理が行われる。
【００６３】
ディスプレイ６４及びスピーカ６５は異常報知手段の一例であって、配線異常検出手段として機能する制御部１２又は３２にて配線異常が検出された場合に、カード発行装置１０又はカードユニット３０からターミナルボックス５０を介して遊技場外管理装置６０に対して該配線異常の検出を示す配線異常検出信号が送信され、該配線異常検出信号を受信した遊技場外管理装置６０において、その旨がディスプレイ６４に表示されると共に警報音がスピーカ６５から発せられて、その旨が報知される。
【００６４】
次に図４〜図９を参照して、本発明に係る遊技用記録媒体処理装置における配線異常の検出について説明する。遊技用記録媒体処理装置であるカード発行装置１０又はカードユニット３０は、前述の如く配線異常検出手段として機能する制御部１２又は３２を備えており、この配線異常検出手段は、貨幣額通信部１４又は３４に対して貨幣額送信線１５ｃ〜１５ｆ又は３５ｃ〜３５ｆの配線異常判定を実施する旨の判定実施信号を送信すると共に、該判定実施信号に応じて前記貨幣額通信部１４又は３４から送信されてくる応答信号の受信に基づいて貨幣額送信線１５ｃ〜１５ｆ又は３５ｃ〜３５ｆの配線異常判定を実施して、該配線異常の有無を検出し、配線異常を検出した場合に、その旨を報知するための処理を行う。
【００６５】
まず図４（ａ）は第１実施形態（起動時に検出）に係る遊技用記録媒体処理装置（カード発行装置１０又はカードユニット３０）における貨幣識別機１３又は３３，貨幣額通信部１４又は３４，制御部１２又は３２，及びカードＲ／Ｗ２０又は３６の正規配線を表す図であり、図４（ｂ）はその場合における配線異常の検出を表すタイミングチャートである。この第１実施形態に係る遊技用記録媒体処理装置では、該遊技用記録媒体処理装置の起動時に配線異常の検出が行われるので、毎日１回は配線異常を確認できる。以下、第１実施形態に係る遊技用記録媒体処理装置における配線異常の検出の手順について説明する。
【００６６】
まず遊技用記録媒体処理装置の起動時に、配線異常検出手段として機能する制御部１２又は３２から貨幣額通信部１４又は３４に対して前記判定実施信号を送信する。ここでの判定実施信号は、通常は同時に送信されることがない取込信号とペイアウト信号が同時に送信されるものであり、具体的には図４（ｂ）に示すように、取込信号とペイアウト信号が同時に、所定時間（例えば５０ミリ秒）ＯＮ→所定時間（例えば５０ミリ秒）ＯＦＦ→継続的にＯＮと出力される。
【００６７】
次に該送信されてくる判定実施信号に応じて、貨幣額通信部１４又は３４から各貨幣額送信線１５ｃ〜１５ｆ又は３５ｃ〜３５ｆより所定時間間隔で順に応答信号を送信する。ここでの応答信号は、前記千円信号，二千円信号，五千円信号，及び一万円信号が所定時間間隔でこの順に送信されるものであり、具体的には図４（ｂ）に示すように、まず所定長さＡ（例えば５０ミリ秒）の千円信号が出力され、次に所定時間間隔Ｂ（例えば５０ミリ秒）を空けて所定長さＡの二千円信号が出力され、次に所定時間間隔Ｂを空けて所定長さＡの五千円信号が出力され、最後に所定時間間隔Ｂを空けて所定長さＡの一万円信号が出力される。
【００６８】
次に配線異常検出手段として機能する制御部１２又は３２は、各貨幣額送信線１５ｃ〜１５ｆ又は３５ｃ〜３５ｆより順に送信される応答信号の正規の受信順序（即ち千円信号，二千円信号，五千円信号，及び一万円信号の順）を記憶しており、該各貨幣額送信線１５ｃ〜１５ｆ又は３５ｃ〜３５ｆより順に送信されてくる応答信号の受信に基づいて貨幣額送信線１５ｃ〜１５ｆ又は３５ｃ〜３５ｆの配線異常判定を実施して、応答信号の受信順序と正規の受信順序とが異なる場合に配線異常と検出する。ここでの応答信号の受信順序は、図４（ｂ）に示すように、千円信号，二千円信号，五千円信号，及び一万円信号の順であり、正規の受信順序と一致するため、配線異常は検出されず、該配線異常が検出された旨の報知も行われない。その後に取込信号とペイアウト信号が同時にＯＦＦにされて、配線異常判定が終了する。
【００６９】
次に図５（ａ）は第１実施形態（起動時に検出）に係る遊技用記録媒体処理装置（カード発行装置１０又はカードユニット３０）における貨幣識別機１３又は３３，貨幣額通信部１４又は３４，制御部１２又は３２，及びカードＲ／Ｗ２０又は３６の配線異常を表す図であり、図５（ｂ）はその場合における配線異常の検出を表すタイミングチャートである。
【００７０】
この例では、図５（ａ）に示すように、貨幣額送信線である千円信号送信線１５ｃ又は３５ｃと一万円信号送信線１５ｆ又は３５ｆが組み替えられており、貨幣識別機１３又は３３にて千円が識別された場合に該組み替えられた貨幣額送信線を通じて一万円の貨幣額を示す信号が送信される配線異常が生じている。
【００７１】
この例において、前述の如く遊技用記録媒体処理装置の起動時に、配線異常検出手段として機能する制御部１２又は３２から貨幣額通信部１４又は３４に対して前記判定実施信号を送信すると、該送信されてくる判定実施信号に応じて、貨幣額通信部１４又は３４から各貨幣額送信線１５ｃ〜１５ｆ又は３５ｃ〜３５ｆより所定時間間隔で順に応答信号を送信する。ここでの応答信号は、貨幣額送信線が組み替えられているため、図５（ｂ）に示すように、まず所定長さＡ（例えば５０ミリ秒）の一万円信号が出力され、次に所定時間間隔Ｂ（例えば５０ミリ秒）を空けて所定長さＡの二千円信号が出力され、次に所定時間間隔Ｂを空けて所定長さＡの五千円信号が出力され、最後に所定時間間隔Ｂを空けて所定長さＡの千円信号が出力される。
【００７２】
次に配線異常検出手段として機能する制御部１２又は３２は、前述の如く配線異常判定を実施するが、ここでの応答信号の受信順序は、図５（ｂ）に示すように、一万円信号，二千円信号，五千円信号，及び千円信号の順であり、前述の如く記憶されている正規の受信順序（即ち千円信号，二千円信号，五千円信号，及び一万円信号の順）と異なるため、配線異常が検出される。そして該制御部１２又は３２の制御によりパトランプ２１又は動作ランプ３９が点灯すると共に、該制御部１２又は３２から送信される配線異常検出信号に基づいてその旨がディスプレイ５４及び６４に表示されると共に警報音がスピーカ５５及び６５から発せられて、配線異常が検出された旨が報知される。さらに該制御部１２又は３２の制御により、貨幣識別機１３又は３３にて貨幣３を留保したままの状態でシステムダウンし、カード発行装置１０におけるプリペイドカード２の発行やカードユニット３０における価値加算をするための処理が中断される。
【００７３】
このように、本発明に係る遊技用記録媒体処理装置によれば、遊技用記録媒体発行処理を行うカード発行装置１０や価値加算処理を行うカードユニット３０において、各貨幣額送信線１５ｃ〜１５ｆ又は３５ｃ〜３５ｆより順に送信されてくる応答信号の受信順序を確認することにより配線異常が検出され、該配線異常が検出された場合にその旨が報知されるので、貨幣額送信線１５ｃ〜１５ｆ又は３５ｃ〜３５ｆの組み替え等の不正配線や誤配線を発見して、適切な処置（例えば配線確認や正規配線への復帰等）を行うことができる。また配線異常が検出された場合に遊技用記録媒体発行処理や価値加算処理が中断されるので、不正配線や誤配線があっても遊技場が損害を被ることがない。
【００７４】
次に図６（ａ）は第２実施形態（貨幣の識別毎に検出）に係る遊技用記録媒体処理装置（カード発行装置１０又はカードユニット３０）における貨幣識別機１３又は３３，貨幣額通信部１４又は３４，制御部１２又は３２，及びカードＲ／Ｗ２０又は３６の正規配線を表す図であり、図６（ｂ）はその場合における配線異常の検出を表すタイミングチャートである。この第２実施形態に係る遊技用記録媒体処理装置では、貨幣３の識別毎に配線異常の検出が行われるので、より密に配線異常を確認できるので、例えば貨幣額送信線に不正基板が取り付けられる等により不正が行われており、通常時には正規配線として機能するが、不正者が何らかの処理（例えば該不正基板に対して配線の切替を指示する信号を送信する等）を行った時に不正配線として機能するような場合にも、配線異常を検出できる。以下、第２実施形態に係る遊技用記録媒体処理装置における配線異常の検出の手順について説明する。
【００７５】
まず貨幣識別機１３又は３３により貨幣３が識別された場合に、図６（ｂ）に示すように、貨幣額通信部１４又は３４に設けられる貨幣識別信号出力部１４ｇ又は３４ｇから配線異常検出手段として機能する制御部１２又は３２に対して貨幣識別信号を送信する。なお貨幣識別信号が送信されないで貨幣額を示す信号（千円信号，二千円信号，五千円信号，又は一万円信号）が送信される場合にはエラーとされる。
【００７６】
次に該送信されてくる貨幣識別信号の受信に応じて、図６（ｂ）に示すように、配線異常検出手段として機能する制御部１２又は３２から貨幣額通信部１４又は３４に対して前記判定実施信号を送信する。ここでの判定実施信号は、前述した第１実施形態（図４（ｂ）を参照）と同様のものである。次に該送信されてくる判定実施信号に応じて、図６（ｂ）に示すように、貨幣額通信部１４又は３４から各貨幣額送信線１５ｃ〜１５ｆ又は３５ｃ〜３５ｆより所定時間間隔で順に応答信号を送信する。ここでの応答信号も、前述した第１実施形態（図４（ｂ）を参照）と同様のものである。次に配線異常検出手段として機能する制御部１２又は３２により、前述した第１実施形態と同様に配線異常判定を実施して配線異常を検出する。ここでの応答信号の受信順序は、図６（ｂ）に示すように、千円信号，二千円信号，五千円信号，及び一万円信号の順であり、正規の受信順序と一致するため、配線異常は検出されず、該配線異常が検出された旨の報知も行われない。その後に取込信号とペイアウト信号が同時にＯＦＦにされて、配線異常判定が終了する。
【００７７】
次に図７（ａ）は第２実施形態（貨幣の識別毎に検出）に係る遊技用記録媒体処理装置（カード発行装置１０又はカードユニット３０）における貨幣識別機１３又は３３，貨幣額通信部１４又は３４，制御部１２又は３２，及びカードＲ／Ｗ２０又は３６の配線異常を表す図であり、図７（ｂ）はその場合における配線異常の検出を表すタイミングチャートである。
【００７８】
この例では、図７（ａ）に示すように、前述した第１実施形態（図５（ａ）を参照）と同様に、貨幣額送信線である千円信号送信線１５ｃ又は３５ｃと一万円信号送信線１５ｆ又は３５ｆが組み替えられており、貨幣識別機１３又は３３にて千円が識別された場合に該組み替えられた貨幣額送信線を通じて一万円の貨幣額を示す信号が送信される配線異常が生じている。
【００７９】
この例において、図７（ｂ）に示すように、前述の如く貨幣識別機１３又は３３により貨幣３が識別された場合に、貨幣額通信部１４又は３４に設けられる貨幣識別信号出力部１４ｇ又は３４ｇから配線異常検出手段として機能する制御部１２又は３２に対して貨幣識別信号を送信すると、該送信されてくる貨幣識別信号に応じて配線異常検出手段として機能する制御部１２又は３２から貨幣額通信部１４又は３４に対して前記判定実施信号を送信し、該送信されてくる判定実施信号に応じて、貨幣額通信部１４又は３４から各貨幣額送信線１５ｃ〜１５ｆ又は３５ｃ〜３５ｆより所定時間間隔で順に応答信号を送信する。ここでの応答信号は、前述した第１実施形態（図５（ｂ）を参照）と同様のものである。
【００８０】
次に配線異常検出手段として機能する制御部１２又は３２により、前述した第１実施形態と同様に配線異常判定を実施するが、ここでの応答信号の受信順序は、図７（ｂ）に示すように、一万円信号，二千円信号，五千円信号，及び千円信号の順であり、前述の如く記憶されている正規の受信順序（即ち千円信号，二千円信号，五千円信号，及び一万円信号の順）と異なるため、配線異常が検出される。そして前述した第１実施形態と同様に配線異常が検出された旨が報知されると共に遊技用記録媒体発行処理や価値加算処理が中断されるので、前述した第１実施形態と同様の効果を奏する。
【００８１】
次に図８（ａ）は遊技用記録媒体処理装置（カード発行装置１０又はカードユニット３０）における貨幣識別機１３又は３３，貨幣額通信部１４又は３４，制御部１２又は３２，及びカードＲ／Ｗ２０又は３６の配線異常の別形態を表す図であり、図８（ｂ）はその場合における配線異常の検出を表すタイミングチャートである。この配線異常の別形態は、第１実施形態及び第２実施形態の双方に関するものであるが、両実施形態は、前述の如く配線異常の検出が行われるタイミングが異なるのみであり、配線異常判定及び配線異常の検出に係る処理は同様であるため、以下においては第１実施形態に係る遊技用記録媒体処理装置における配線異常の検出の手順について説明する。
【００８２】
この例では、図８（ａ）に示すように、貨幣額送信線である千円信号送信線１５ｃ又は３５ｃが二つに分配されて一方がそのまま千円信号送信線１５ｃ又は３５ｃに接続されていると共に他方が一万円信号送信線１５ｆ又は３５ｆに接続されており、貨幣識別機１３又は３３にて千円が識別された場合に該分配された貨幣額送信線を通じて千円の貨幣額を示す信号と一万円の貨幣額を示す信号が同時期に送信される配線異常が生じている。
【００８３】
この例において、前述の如く配線異常検出手段として機能する制御部１２又は３２から貨幣額通信部１４又は３４に対して前記判定実施信号を送信すると、該送信されてくる判定実施信号に応じて、貨幣額通信部１４又は３４から各貨幣額送信線１５ｃ〜１５ｆ又は３５ｃ〜３５ｆより所定時間間隔で順に応答信号を送信する。ここでの応答信号は、貨幣額送信線が分配されているため、図８（ｂ）に示すように、所定長さＡ（例えば５０ミリ秒）の千円信号と一万円信号が出力され、次に所定時間間隔Ｂ（例えば５０ミリ秒）を空けて所定長さＡの二千円信号が出力され、最後に所定時間間隔Ｂを空けて所定長さＡの五千円信号が出力される。
【００８４】
次に配線異常検出手段として機能する制御部１２又は３２は、各貨幣額送信線１５ｃ〜１５ｆ又は３５ｃ〜３５ｆより順に送信されてくる応答信号の受信に基づいて該貨幣額送信線１５ｃ〜１５ｆ又は３５ｃ〜３５ｆの配線異常判定を実施して、同時期に複数の応答信号を受信した場合に配線異常があると判定する。ここで「同時期」とは、完全な同時のみならず、ほぼ同時も含む概念である。ここでの応答信号は、図８（ｂ）に示すように、千円信号と一万円信号が同時期に受信されるため、配線異常が検出される。そして前述した第１実施形態と同様に配線異常が検出された旨が報知されると共に遊技用記録媒体発行処理や価値加算処理が中断される。
【００８５】
このように、本発明に係る遊技用記録媒体処理装置によれば、各貨幣額送信線１５ｃ〜１５ｆ又は３５ｃ〜３５ｆより所定時間間隔で順に送信されてくる応答信号を同時期に複数受信した場合にも配線異常が検出されるので、一つの貨幣額送信線を二以上に分配するような不正配線や誤配線を発見して、適切な処置（例えば配線確認や正規配線への復帰等）を行うことができる。
【００８６】
次に図９はさらに別形態に係る配線異常の検出を表すタイミングチャートである。この別形態に係る配線異常も、第１実施形態及び第２実施形態の双方に関するものである。
【００８７】
この例では、例えば貨幣額送信線に不正基板が取り付けられる等により正規配線に比べて負荷が変位（例えば過負荷，又は軽負荷）しているために、該貨幣額送信線を通じて送信される応答信号の送信タイミングにズレが生じ、該応答信号の受信間隔が許容時間内でなくなるような配線異常が生じている。
【００８８】
この例において、前述の如く配線異常検出手段として機能する制御部１２又は３２から貨幣額通信部１４又は３４に対して前記判定実施信号を送信すると、該送信されてくる判定実施信号に応じて、貨幣額通信部１４又は３４から各貨幣額送信線１５ｃ〜１５ｆ又は３５ｃ〜３５ｆより所定時間間隔で順に応答信号を送信する。ここでの応答信号は、前記配線異常が生じているため、図９（ｂ）に示すように、所定長さＡ（例えば５０ミリ秒）の千円信号が出力され、次に所定時間間隔Ｂ（例えば５０ミリ秒）よりも長い時間間隔Ｂ’（例えば７０ミリ秒）を空けて所定長さＡの二千円信号が出力され、次に所定時間間隔Ｂ（例えば５０ミリ秒）よりも短い時間間隔Ｂ”（例えば３０ミリ秒）を空けて所定長さＡの五千円信号が出力され、最後に所定時間間隔Ｂを空けて所定長さＡの一万円信号が出力される。
【００８９】
次に配線異常検出手段として機能する制御部１２又は３２は、各貨幣額送信線１５ｃ〜１５ｆ又は３５ｃ〜３５ｆより順に送信されてくる応答信号の受信に基づいて該貨幣額送信線１５ｃ〜１５ｆ又は３５ｃ〜３５ｆの配線異常判定を実施して、該応答信号の受信間隔が許容時間内であるか否かの確認を行い、該応答信号の受信間隔が許容時間内でない場合に配線異常があると判定する。ここで「許容時間内」は、例えば前記所定時間間隔Ｂの±２０％以内に設定される。なお該許容時間は任意に設定可能である。ここでの応答信号は、図９（ｂ）に示すように、二千円信号の受信間隔である時間間隔Ｂ’が許容時間の上限（ここでは６０ミリ秒）を超えており、また五千円信号の受信間隔である時間間隔Ｂ”が許容時間の下限（ここでは４０ミリ秒）未満であるため、応答信号の受信間隔が許容時間内でないとして配線異常が検出される。そして前述した第１実施形態と同様に配線異常が検出された旨が報知されると共に遊技用記録媒体発行処理や価値加算処理が中断される。
【００９０】
このように、本発明に係る遊技用記録媒体処理装置によれば、各貨幣額送信線１５ｃ〜１５ｆ又は３５ｃ〜３５ｆより所定時間間隔で順に送信されてくる応答信号の受信間隔が許容時間内でない場合にも配線異常が検出されるので、何らかの不正配線が行われた可能性がある貨幣額送信線を確認して適切な処置（例えば配線確認や正規配線への復帰等）を行うことができる。
【００９１】
以上に説明した実施形態と対応付けて本願の請求項に係る発明を説明すると、以下のとおりである。
【００９２】
まず請求項１に係る発明は、複数金種の貨幣（３）を識別する貨幣識別手段（貨幣識別機１３）と、該複数金種の貨幣額に対応する貨幣額送信線（１５ｃ〜１５ｆ）を通じて前記貨幣識別手段にて識別された貨幣額を示す信号を送信する貨幣額送信手段（貨幣額通信部１４）と、前記貨幣額送信手段から送信された貨幣額を示す信号から特定される貨幣額の範囲内における所定額に相当する遊技に使用可能な遊技用価値の大きさ（プリペイド度数）を特定可能な情報が記録された遊技用記録媒体（プリペイドカード２）を発行する遊技用記録媒体発行手段（カードＲ／Ｗ２０）と、を備える遊技用記録媒体処理装置（カード発行装置１０）であって、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段（制御部１２）をさらに備え、該配線異常検出手段は、前記配線異常を検出した場合に、その旨を報知するための処理を行うことを特徴とする遊技用記録媒体処理装置である。
【００９３】
また請求項２に係る発明は、複数金種の貨幣（３）を識別する貨幣識別手段（貨幣識別機３３）と、該複数金種の貨幣額に対応する貨幣額送信線（３５ｃ〜３５ｆ）を通じて前記貨幣識別手段にて識別された貨幣額を示す信号を送信する貨幣額送信手段（貨幣額通信部３４）と、遊技に使用可能な遊技用価値の大きさ（プリペイド度数）を特定可能な情報が記録された遊技用記録媒体（プリペイドカード２）を受け付ける遊技用記録媒体受付手段（カードＲ／Ｗ３６）と、前記貨幣額送信手段から送信された貨幣額を示す信号から特定される貨幣額の範囲内における所定額に相当する遊技用価値の大きさを前記遊技用記録媒体受付手段にて受け付けた遊技用記録媒体の記録情報から特定される遊技用価値の大きさに対して加算するための処理を行う価値加算手段（制御部３２）と、を備える遊技用記録媒体処理装置（カードユニット３０）であって、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段（制御部３２）をさらに備え、該配線異常検出手段は、前記配線異常を検出した場合に、その旨を報知するための処理を行うことを特徴とする遊技用記録媒体処理装置である。
【００９４】
また請求項３に係る発明は、請求項１又は２に記載した遊技用記録媒体処理装置（カード発行装置１０又はカードユニット３０）であって、前記貨幣額送信手段（貨幣額通信部１４又は３４）は、前記配線異常検出手段（制御部１２又は３２）から送信された判定実施信号に応じて各貨幣額送信線（１５ｃ〜１５ｆ又は３５ｃ〜３５ｆ）より順に前記応答信号を送信し、前記配線異常検出手段は、各貨幣額送信線より順に送信される前記応答信号の正規の受信順序を記憶しており、該各貨幣額送信線より順に送信されてくる前記応答信号の受信に基づいて前記貨幣額送信線の配線異常判定を実施して、該応答信号の受信順序と前記正規の受信順序とが異なる場合に前記配線異常と検出することを特徴とする遊技用記録媒体処理装置である。
【００９５】
また請求項４に係る発明は、請求項３に記載した遊技用記録媒体処理装置（カード発行装置１０又はカードユニット３０）であって、前記貨幣額送信手段（貨幣額通信部１４又は３４）は、各貨幣額送信線（１５ｃ〜１５ｆ又は３５ｃ〜３５ｆ）より順に送信する前記応答信号を所定時間間隔で送信し、前記配線異常検出手段（制御部１２又は３２）は、各貨幣額送信線より順に送信されてくる前記応答信号の受信に基づいて前記貨幣額送信線の配線異常判定を実施して、同時期に複数の応答信号を受信した場合に前記配線異常と検出することを特徴とする遊技用記録媒体処理装置である。
【００９６】
また請求項５に係る発明は、請求項３に記載した遊技用記録媒体処理装置（カード発行装置１０又はカードユニット３０）であって、前記貨幣額送信手段（貨幣額通信部１４又は３４）は、各貨幣額送信線（１５ｃ〜１５ｆ又は３５ｃ〜３５ｆ）より順に送信する前記応答信号を所定時間間隔で送信し、前記配線異常検出手段（制御部１２又は３２）は、各貨幣額送信線より順に送信されてくる前記応答信号の受信に基づいて前記貨幣額送信線の配線異常判定を実施して、該応答信号の受信間隔が許容時間内であるか否かの確認を行い、該応答信号の受信間隔が許容時間内でない場合に前記配線異常と検出することを特徴とする遊技用記録媒体処理装置である。
【００９７】
また請求項６に係る発明は、請求項１〜５のいずれか１つに記載した遊技用記録媒体処理装置（カード発行装置１０又はカードユニット３０）であって、前記配線異常検出手段（制御部１２又は３２）は、前記遊技用記録媒体処理装置の起動時に前記判定実施信号を送信することを特徴とする遊技用記録媒体処理装置である。
【００９８】
また請求項７に係る発明は、請求項１〜６のいずれか１つに記載した遊技用記録媒体処理装置（カード発行装置１０又はカードユニット３０）であって、前記貨幣額送信手段（貨幣額通信部１４又は３４）は、前記貨幣識別手段（貨幣識別機１３又は３３）により貨幣（３）が識別される毎に（貨幣識別信号送信線１５ｇ又は３５ｇを通じて）該貨幣が識別された旨の貨幣識別信号を送信し、前記配線異常検出手段（制御部１２又は３２）は、該貨幣額送信手段から送信されてくる貨幣識別信号を受信する毎に前記判定実施信号を送信することを特徴とする遊技用記録媒体処理装置である。
【００９９】
さらに請求項８に係る発明は、請求項１〜７のいずれか１つに記載した遊技用記録媒体処理装置（カード発行装置１０又はカードユニット３０）であって、前記配線異常検出手段（制御部１２又は３２）は、前記配線異常を検出した場合に、前記遊技用記録媒体（プリペイドカード２）の発行又は前記価値加算するための処理を中断することを特徴とする遊技用記録媒体処理装置である。
【０１００】
最後に、本発明の変形例について説明する。
【０１０１】
上記の実施形態では、遊技用記録媒体発行処理を行う遊技用記録媒体処理装置がカード発行装置１０である例について説明したが、これに限らず、カードユニット３０にプリペイドカード発行機能を設けて、該カードユニット３０を遊技用記録媒体発行処理を行う遊技用記録媒体処理装置としても良い。また上記の実施形態では、価値加算処理を行う遊技用記録媒体処理装置がカードユニット３０である例について説明したが、これに限らず、カード発行装置１０に入金機能を設けて、該カード発行装置１０を価値加算処理を行う遊技用記録媒体処理装置としても良い。
【０１０２】
上記の実施形態では、遊技用記録媒体（プリペイドカード２）が、非接触式の集積回路を搭載したカード状の記録媒体である例について説明したが、これに限らず、遊技用記録媒体は、接触式の集積回路を搭載した記録媒体でも良い。また遊技用記録媒体の記録領域は、集積回路のＥＥＰＲＯＭには限られず、磁気により記録する記録領域や、文字，二次元コード（例えばバーコード），三次元コード，又は光干渉（例えばホログラム）等により記録する記録領域でも良い。また遊技用記録媒体は、記録領域の記録内容を遊技用記録媒体の表面に印字可能なものでも良い。また遊技用記録媒体の材質はプラスチック等の樹脂製には限られず、例えば金属製や紙製等であっても良い。さらに遊技用記録媒体の形状は長方形状には限られず、例えば正方形状，多角形状，円形状，楕円形状等でも良く、またコイン形状でも良い。
【０１０３】
上記の実施形態では、カードＲ／Ｗ２０又は３６が、非接触式の集積回路を搭載したカード状のＩＣカードである遊技用記録媒体（プリペイドカード２）に対応して非接触式のＩＣリーダ／ライタを備え、該集積回路の記録情報を読み取ると共に集積回路に対して情報を記録する例について説明したが、これに限らず、遊技用記録媒体の記録領域に対応して情報の読取／記録が可能なものであれば良い。即ちカードＲ／Ｗ２０又は３６は、遊技用記録媒体の記録領域が接触式の集積回路である場合には、接触式のＩＣリーダ／ライタを備えるものであれば良く、該記録領域が磁気により記録するものである場合には、磁気リーダ／ライタを備えるものであれば良く、該記録領域が文字，二次元コード，三次元コード，又は光干渉等により記録するものである場合には、それらを読取可能なスキャナ等を備えるものであれば良い。
【０１０４】
上記の実施形態では、遊技用記録媒体（プリペイドカード２）のカードＩＤがカードＩＤ生成要求に基づいて生成される例について説明したが、これに限らず、該カードＩＤは、予め付与されているものでも良く、また予め遊技用記録媒体に記録されているものでも良い。また上記の実施形態では、遊技用記録媒体の記録情報としてカードＩＤとプリペイド度数が記録されている例について説明したが、これに限らず、カードＩＤ又はプリペイド度数のいずれか一方のみが記録されているものでも良い。
【０１０５】
上記の実施形態では、遊技に使用可能な遊技用価値の大きさがプリペイド度数である例について説明したが、これに限らず、該遊技用価値の大きさは、プリペイド度数に相当する金額，点数，遊技媒体数等でも良い。即ち遊技用価値の大きさは、遊技に使用可能な有価価値の大きさであれば良い。
【０１０６】
上記の実施形態では、複数金種の貨幣３が紙幣（千円紙幣，二千円紙幣，五千円紙幣，及び一万円紙幣）である例について説明したが、これに限らず、該貨幣３は硬貨であっても良い。
【０１０７】
上記の実施形態では、カードユニット３０が、遊技機（パチンコ機４０）との間でパチンコ玉の貸出に関する信号のやり取りを行うことにより玉貸処理を行う、いわゆるＣＲユニットである例について説明したが、これに限らず、カードユニット自身で所定の遊技用価値の大きさに相当する数の遊技媒体（パチンコ玉）を払い出す玉払出装置を備える、いわゆる台間玉貸機であっても良い。
【０１０８】
上記の実施形態では、所定の遊技用価値の大きさを遊技に使用させるための使用処理が玉貸処理である例について説明したが、これに限らず、該使用処理は、メダル貸出処理や、後述するクレジット式のパチンコ機やスロットマシンにおいて遊技用価値の大きさを使用させる処理等でも良い。
【０１０９】
上記の実施形態では、価値加算処理を行う遊技用記録媒体処理装置（カードユニット３０）において、貨幣識別手段（貨幣識別機３３）にて識別された貨幣額のすべて（即ち全額）に相当する遊技用価値の大きさがプリペイド度数に価値加算される例について説明したが、これに限らず、識別された貨幣額の範囲内における所定額に相当する遊技用価値の大きさがプリペイド度数に対して加算されるようにしても良い。この場合には、所定額を選択可能な操作部が設けられ、また釣銭払出装置が設けられて、識別された貨幣額から所定額を差し引いた釣銭が払い出されるように構成される。
【０１１０】
上記の実施形態では、価値加算処理を行う遊技用記録媒体処理装置（カードユニット３０）において、貨幣識別手段（貨幣識別機３３）にて識別された貨幣額に相当する遊技用価値の大きさがプリペイド残数に直ちに（即ち一枚の貨幣３が挿入されると自動的に）加算される例について説明したが、これに限らず、例えば複数枚の貨幣３が挿入され、所定の部位に設けられる入金ボタンが操作された場合に、該複数枚の貨幣３の額が合算されて価値加算が行われるようにしても良い。
【０１１１】
なおプリペイドカード２に対して価値加算が可能なタイミングとしては、該プリペイドカード２についての残度数があるときにのみ価値加算を可能としても良く、該プリペイドカード２についての残度数が零となったときにのみ価値加算を可能としても良く、価値加算された入金度数が使用されて零となったときにのみ次なる価値加算を可能としても良く、これらの制限なしにいかなるタイミングでも価値加算を可能としても良い。
【０１１２】
上記の実施形態では、遊技機がパチンコ機４０である例について説明したが、これに限らず、該遊技機は、例えば現金式のパチンコ機，クレジット式のパチンコ機，パチンコ玉が指触不能に封入された封入式のパチンコ機，メダルやパチンコ玉が外部に払い出されるスロットマシンやパチロット，メダルが外部に払い出されることなく遊技可能なクレジット式のスロットマシン等であっても良く、さらにはパチンコ玉やメダル等を用いずにデータ等により遊技可能な遊技機，遊技盤やパチンコ玉が画像にて表示される画像式のパチンコ機，リールが画像にて表示される画像式のスロットマシン等であっても良く、その種類や形態は特に限定されない。
【０１１３】
上記の実施形態では、配線異常の検出が行われるタイミングが、遊技用記録媒体処理装置（カード発行装置１０又はカードユニット３０）の起動時（第１実施形態）又は貨幣３の識別毎（第２実施形態）である例について説明したが、これに限らず、例えば１時間毎等の所定タイミングで配線異常の検出が行われるようにしても良い。
【０１１４】
上記の実施形態では、判定実施信号が取込信号とペイアウト信号の同時送信である例について説明したが、これに限らず、配線異常検出手段（制御部１２又は３２）と貨幣額送信手段（貨幣額通信部１４又は３４）との間を接続する判定実施信号送信線を別個に設け、該判定実施信号送信線を通じて判定実施信号を送信するようにしても良い。
【０１１５】
上記の実施形態では、応答信号の受信順序と正規の受信順序とが異なる場合（図５又は図７を参照），同時期に複数の応答信号を受信した場合（図８を参照），及び応答信号の受信間隔が許容時間内でない場合（図９を参照）に、配線異常検出手段（制御部１２又は３２）が配線異常と検出する例について説明したが、これに限らず、貨幣額送信手段（貨幣額通信部１４又は３４）から送信されてくる応答信号の受信に基づいて配線異常判定を行って配線異常を検出するものであれば良い。
【０１１６】
上記の実施形態では、配線異常検出手段（制御部１２又は３２）にて配線異常が検出された場合に、パトランプ２１又は動作ランプ３９，ディスプレイ５４又は６４，及びスピーカ５５又は６５のすべてでその旨が報知される例について説明したが、これに限らず、それらの一部のみでその旨が報知されるようにしても良い。また該配線異常が検出された場合に、度数表示器４４に所定のエラーコードを表示することによりその旨を報知するようにしても良い。さらに該配線異常が検出された場合に、遊技場の店員が装着するイヤフォンやバイブレータ等によりその旨を報知して、該配線異常が検出された現場に遊技場の店員が直ちに駆けつけることができるようにしても良く、また遊技場に設けられるカメラにより該現場を映し出すと共に、ビデオ等の記録装置により該現場の状況を記録して、不正配線が検出された証拠として使用できるようにしても良い。
【０１１７】
上記の実施形態では、配線異常が検出された場合に、配線異常検出手段（制御部１２又は３２）の制御により、貨幣識別機１３又は３３にて貨幣３を留保したままの状態でシステムダウンし、遊技用記録媒体発行処理や価値加算処理が中断される例について説明したが、これに限らず、該システムダウンする場合であっても貨幣識別機１３又は３３にて留保されている貨幣３を返却するようにしても良い。
【０１１８】
【発明の効果】
本発明に係る遊技用記録媒体処理装置によれば、以下のような効果を奏する。
【０１１９】
まず請求項１に係る遊技用記録媒体処理装置によれば、遊技用記録媒体発行処理を行う遊技用記録媒体処理装置において、配線異常が検出された場合にその旨が報知されるので、貨幣額送信線の組み替え等の不正配線や誤配線を発見して、適切な処置を行うことができる。
【０１２０】
また請求項２に係る遊技用記録媒体処理装置によれば、価値加算処理を行う遊技用記録媒体処理装置において、配線異常が検出された場合にその旨が報知されるので、貨幣額送信線の組み替え等の不正配線や誤配線を発見して、適切な処置を行うことができる。
【０１２１】
また請求項３に係る遊技用記録媒体処理装置によれば、各貨幣額送信線より順に送信されてくる応答信号の受信順序を確認することにより配線異常が検出されるので、貨幣額送信線の組み替え等の不正配線や誤配線を発見して、適切な処置を行うことができる。
【０１２２】
また請求項４に係る遊技用記録媒体処理装置によれば、各貨幣額送信線より所定時間間隔で順に送信されてくる応答信号を同時期に複数受信した場合に配線異常が検出されるので、一つの貨幣額送信線を二以上に分配するような不正配線や誤配線を発見して、適切な処置を行うことができる。
【０１２３】
また請求項５に係る遊技用記録媒体処理装置によれば、各貨幣額送信線より所定時間間隔で順に送信されてくる応答信号の受信間隔が許容時間内でない場合に配線異常が検出されるので、何らかの不正配線が行われた可能性がある貨幣額送信線を確認して適切な処置を行うことができる。
【０１２４】
また請求項６に係る遊技用記録媒体処理装置によれば、遊技用記録媒体処理装置の起動時に配線異常の検出が行われるので、毎日１回は配線異常を確認できる。
【０１２５】
また請求項７に係る遊技用記録媒体処理装置によれば、貨幣の識別毎に配線異常の検出が行われるので、より密に配線異常を確認できる。
【０１２６】
さらに請求項８に係る遊技用記録媒体処理装置によれば、配線異常が検出された場合に遊技用記録媒体発行処理又は価値加算処理が中断されるので、不正配線や誤配線があっても遊技場が損害を被ることがない。
【図面の簡単な説明】
【図１】図１は本発明に係る遊技用記録媒体処理装置であるカード発行装置及びカードユニットを含む遊技用システムの一例を表す機能ブロック図である。
【図２】図２はカード発行装置の一例を表す斜視図である。
【図３】図３（ａ）はカードユニット及びパチンコ機の一例を表す正面図であり、図３（ｂ）は該カードユニットの側面図である。
【図４】図４（ａ）は第１実施形態（起動時に検出）に係る遊技用記録媒体処理装置における貨幣識別機，貨幣額通信部，制御部，及びカードＲ／Ｗの正規配線を表す図であり、図４（ｂ）はその場合における配線異常の検出を表すタイミングチャートである。
【図５】図５（ａ）は第１実施形態（起動時に検出）に係る遊技用記録媒体処理装置における貨幣識別機，貨幣額通信部，制御部，及びカードＲ／Ｗの配線異常を表す図であり、図５（ｂ）はその場合における配線異常の検出を表すタイミングチャートである。
【図６】図６（ａ）は第２実施形態（貨幣の識別毎に検出）に係る遊技用記録媒体処理装置における貨幣識別機，貨幣額通信部，制御部，及びカードＲ／Ｗの正規配線を表す図であり、図６（ｂ）はその場合における配線異常の検出を表すタイミングチャートである。
【図７】図７（ａ）は第２実施形態（貨幣の識別毎に検出）に係る遊技用記録媒体処理装置における貨幣識別機，貨幣額通信部，制御部，及びカードＲ／Ｗの配線異常を表す図であり、図７（ｂ）はその場合における配線異常の検出を表すタイミングチャートである。
【図８】図８（ａ）は遊技用記録媒体処理装置における貨幣識別機，貨幣額通信部，制御部，及びカードＲ／Ｗの配線異常の別形態を表す図であり、図８（ｂ）はその場合における配線異常の検出を表すタイミングチャートである。
【図９】図９はさらに別形態に係る配線異常の検出を表すタイミングチャートである。
【符号の説明】
１…遊技用システム
２…プリペイドカード
３…貨幣
１０…カード発行装置
１１…通信部
１２…制御部
１３…貨幣識別機
１３ａ…貨幣挿入口
１３ｂ…貨幣インジケータ
１３ｃ…貨幣回収ボックス
１４…貨幣額通信部
１４ａ…取込信号入力部
１４ｂ…ペイアウト信号入力部
１４ｃ…千円信号出力部
１４ｄ…二千円信号出力部
１４ｅ…五千円信号出力部
１４ｆ…一万円信号出力部
１４ｇ…貨幣識別信号出力部（第２実施形態）
１５…信号配線
１５ａ…取込信号受信線
１５ｂ…ペイアウト信号受信線
１５ｃ…千円信号送信線
１５ｄ…二千円信号送信線
１５ｅ…五千円信号送信線
１５ｆ…一万円信号送信線
１５ｇ…貨幣識別信号送信線（第２実施形態）
１６…貨幣額表示部
１７…発行ボタン
１８…釣銭返却機
１８ａ…釣銭払出口
１８ｂ…釣銭インジケータ
１９…貨幣返却ボタン
２０…カードＲ／Ｗ
２０ａ…カード発行口
２０ｂ…カードインジケータ
２０ｃ…カード収納ボックス
２１…パトランプ
３０…カードユニット
３１…通信部
３２…制御部
３２ａ…ＣＲ通信部
３３…貨幣識別機
３３ａ…貨幣挿入口
３３ｂ…貨幣インジケータ
３３ｃ…貨幣回収ボックス
３４…貨幣額通信部
３４ａ…取込信号入力部
３４ｂ…ペイアウト信号入力部
３４ｃ…千円信号出力部
３４ｄ…二千円信号出力部
３４ｅ…五千円信号出力部
３４ｆ…一万円信号出力部
３４ｇ…貨幣識別信号出力部（第２実施形態）
３５…信号配線
３５ａ…取込信号受信線
３５ｂ…ペイアウト信号受信線
３５ｃ…千円信号送信線
３５ｄ…二千円信号送信線
３５ｅ…五千円信号送信線
３５ｆ…一万円信号送信線
３５ｇ…貨幣識別信号送信線（第２実施形態）
３６…カードＲ／Ｗ
３６ａ…カード挿入排出口
３６ｂ…カードインジケータ
３７…玉貸度数表示器
３８…玉貸度数設定ボタン
３９…動作ランプ
４０…パチンコ機
４１…遊技制御基板
４２…玉払出制御基板
４３…玉払出装置
４４…度数表示器
４５…玉貸ボタン
４６…カード返却ボタン
５０…ターミナルボックス
５１ａ…通信部
５１ｂ…通信部
５２…制御部
５３…ハードディスク
５４…ディスプレイ
５５…スピーカ
６０…遊技場外管理装置
６１…通信部
６２…制御部
６３…ハードディスク
６４…ディスプレイ
６５…スピーカ
【図１】
2004024389.tif 000003
【図２】
2004024389.tif 000004
【図３】
2004024389.tif 000005
【図４】
2004024389.tif 000006
【図５】
2004024389.tif 000007
【図６】
2004024389.tif 000008
【図７】
2004024389.tif 000009
【図８】
2004024389.tif 000010
【図９】
2004024389.tif 000011